(57)【要約】【課題】光源へのアクセスを容易にできる照明装置を提供する。【解決手段】照明装置１は、ハウジング２と、ハウジング２に収容された反射鏡３と、ハウジング２に着脱可能に装着される蓋部材４と、蓋部材４の内面４１に装着された光源ユニット５と、を有する。ハウジング２は、側面２Ａと、側面２Ａと直交する方向に延びる表面２Ｃと、を有し、側面２Ａには保守用開口部Ｈ１が設けられ、表面２Ｃには光照射口Ｈ２が設けられている。蓋部材４はハウジング２に装着されて保守用開口部Ｈ１を覆う。光源ユニット５は、基板５１と、基板５１に実装された光源５２と、を有し、光源５２から発せられた光は、反射鏡３により光照射口Ｈ２に向かう方向へ反射され、光照射口Ｈ２を介して外部に照射される。【選択図】図２
2020107475.tif 000002
【特許請求の範囲】
【請求項１】
ハウジングと、
前記ハウジングに収容された反射鏡と、
前記ハウジングに着脱可能に装着される蓋部材と、
前記蓋部材の内面に装着された光源ユニットと、を有し、
前記ハウジングは、第１面と、前記第１面と直交する方向に延びる第２面と、を有し、前記第１面には保守用開口部が設けられ、前記第２面には光照射口が設けられ、
前記蓋部材は前記ハウジングに装着されて前記保守用開口部を覆い、
前記光源ユニットは、基板と、前記基板に実装された光源と、を有し、
前記光源から発せられた光は、前記反射鏡により前記光照射口に向かう方向へ反射され、前記光照射口を介して外部に照射されることを特徴とする照明装置。
【請求項２】
前記光源の光軸方向は前記第１面に対して直角であることを特徴とする請求項１に記載の照明装置。
【請求項３】
前記ハウジングは、前記第１面を有する側壁を有し、前記側壁は前記保守用開口部を規定する側縁を有し、前記側縁には段部が設けられ、
前記蓋部材は、前記段部に当接されて位置決めされることを特徴とする請求項１又は２に記載の照明装置。
【請求項４】
前記蓋部材は、前記ハウジングから前記第１面と直交する方向に取り外し可能であることを特徴とする請求項１〜３の何れかに記載の照明装置。
【発明の詳細な説明】
【技術分野】
【０００１】
本発明は、照明装置に関する。
【背景技術】
【０００２】
従来より、ＣＣＤカメラ等による撮像を利用した品質検査では、照明装置を用いて被検査物の表面を線状に照明する。例えば、特許文献１に開示の照明装置は、照明装置本体の天板面に固定された複数のＬＥＤと、照明装置本体に収容されてＬＥＤの下方に位置するロッドレンズと、ボルトによって照明装置本体の下端部に取付けられた拡散レンズと、を備え、各ＬＥＤから発せられた光はロッドレンズと拡散レンズを介して照射面に照射される。
【先行技術文献】
【特許文献】
【０００３】
【特許文献１】特開２００７−２２５５９１
【発明の概要】
【発明が解決しようとする課題】
【０００４】
ＬＥＤが劣化してこれを交換する場合、特許文献１の構成では照明装置本体から拡散レンズ及びロッドレンズを取り外さなければＬＥＤにアクセスできず、また拡散レンズやロッドレンズ等の光学部品を照明装置本体に取り付ける際には再度光軸の調整が必要となり、手間がかかるという問題があった。
【０００５】
また、樹脂製の光学部品を用いた場合には、経年劣化した光学部品を交換する必要が生じる場合があった。
【０００６】
本発明は、光源へのアクセスを容易にできる照明装置の提供を目的とする。
【課題を解決するための手段】
【０００７】
本発明に係る照明装置は、ハウジングと、前記ハウジングに収容された反射鏡と、前記ハウジングに着脱可能に装着される蓋部材と、前記蓋部材の内面に装着された光源ユニットと、を有し、前記ハウジングは、第１面と、前記第１面と直交する方向に延びる第２面と、を有し、前記第１面には保守用開口部が設けられ、前記第２面には光照射口が設けられ、前記蓋部材は前記ハウジングに装着されて前記保守用開口部を覆い、前記光源ユニットは、基板と、前記基板に実装された光源と、を有し、前記光源から発せられた光は、前記反射鏡により前記光照射口に向かう方向へ反射され、前記光照射口を介して外部に照射されることを特徴とする。
【発明の効果】
【０００８】
本発明に係る照明装置によれば、蓋部材の内面に光源ユニットが装着されているので、蓋部材をハウジングから取り外すだけで光源ユニットに簡単にアクセスできる。また、蓋部材が装着される保守用開口部は光照射口が設けられた第２面と直交する第１面に設けられているので、第２面の反対側の底面に補強金具が取り付けられた場合であっても、補強金具を取り外すことなく蓋部材を取り外して光源ユニットにアクセスできる。
【図面の簡単な説明】
【０００９】
【図１】本発明の実施形態に係る照明装置の正面図。
【図２】（ａ）は図１のＩＩ線断面図、（ｂ）は（ａ）に示す状態から蓋部材を取り外した状態を示す図。
【図３】図１に示す照明装置が補強金具に装着された状態を示す図であって、（ａ）は側面図、（ｂ）は正面図。
【発明を実施するための形態】
【００１０】
以下、添付図面を参照して、本発明の実施形態に係る照明装置について説明する。図１及び図２を参照して、本実施形態の照明装置１は照射面（図示せず）を線状に照明する線状照明装置であって、ハウジング２と、ハウジング２に収容された反射鏡３と、ハウジング３に着脱可能に装着される蓋部材４と、蓋部材４の内面４１に装着された光源ユニット５と、を有する。
【００１１】
ハウジング２は、照明装置１の長手方向Ｄ１に延びて短手方向Ｄ２に相互に対向する一対の長尺な側面２Ａ，２Ｂと、側面２Ａ，２Ｂと直交して長手方向Ｄ１に延びる長尺な表面２Ｃ及び底面２Ｄと、を有する。側面２Ａ（第１面）には保守用開口部Ｈ１が設けられ、表面２Ｃ（第２面）には光照射口Ｈ２が設けられ、光照射口Ｈ２には透明封止板７がはめ込まれている。
【００１２】
より具体的に、ハウジング２は本体部２０を備え、本体部２０は、側面２Ｂを有する第１側壁２１と、第１側壁２１の下端から垂直に延びて底面２Ｄを有する底壁２２と、を備える。ハウジング２０は更に、第１側壁２１と短手方向Ｄ２に間隔を空けて対向配置された第２側壁２３を備え、第１側壁２１と第２側壁２３の間に光照射口Ｈ２が規定されている。第２側壁２３は側面２Ａを有し、保守用開口部Ｈ１を規定する第２側壁２３の下端縁には断面クランク状の段部２３ａが設けられている。
【００１３】
反射鏡３は断面凹状の反射面３０を有し、ハウジング２内に固定されている。蓋部材４は、保守用開口部Ｈ１を覆うものであり、蓋部材４の上端部には第２側壁２３の段部２３ａと嵌合する断面クランク状の段部４ａが設けられている。蓋部材４をハウジング２に取り付ける際には、蓋部材４の段部４ａを第２側壁２３の段部２３ａに当接させて位置決めし、複数個のビス６を用いてハウジング２に固定する。
【００１４】
光源ユニット５は、蓋部材４の内面４１に装着された基板５１と、基板５１に実装された複数個の光源５２（図２には１個のみ示す）と、を有し、光源５２としてはＬＥＤであるのが好ましい。基板５１は照明装置１の長手方向Ｄ１に沿って延在し、複数個の光源５２は長手方向Ｄ１に沿って一列に配列されている。また、各光源５２は反射鏡３の反射面３０に対向すると共に、各光源５２の光軸は側面２Ａに対して直角（表面２Ｂと平行）となる様に配設されている。各光源５２から発せられた光は反射鏡３の反射面３０により光照射口Ｈ２に向かう方向へ反射され、光照射口Ｈ２を介して外部に照射される。
【００１５】
このように構成された照明装置１において光源ユニット５にアクセスするには、ビス６を取り外し、蓋部材４を光源ユニット５と共にハウジング２から取り外せばよく、光源ユニット５の交換等を容易に行うことができる。
【００１６】
ここで、長手方向Ｄ１における照明装置１の長さ寸法が数メートル乃至１０メートルにも及ぶような場合には、照明装置１の撓みを防止するために図３に示す様に補強金具Ｋを用いることが多い。このような補強金具Ｋは、ハウジング２の底面２Ｄに当接するように装着されて、照明装置１（ハウジング２）を補強する。なお、補強金具Ｋをハウジング２の底面２Ｄに代えて側面２Ａ又は側面２Ｂに当接させて装着させることも考えられるが、このように補強金具Ｋを装着させると、補強金具Ｋと光照射口Ｈ２との距離が近くなり過ぎて、照明装置１を用いた品質検査の際に補強金具Ｋが邪魔になり好ましくない。
【００１７】
また、保守用開口部Ｈ１を側面２Ａに代えて底面２Ｄに設けることも考えられるが、この場合には蓋部材４の取り外しの際に補強金具Ｋを取り外す必要が生じ、手間がかかる。この点、本実施形態においては、保守用開口部Ｈ１を側面２Ａに設け、蓋部材４を側面２Ａと直交する方向（図２（ｂ）に矢印Ａで示す方向）に取り外せるように構成したため、図３に示す様に補強金具Ｋに照明装置１を装着させても、補強金具Ｋを照明装置１から取り外すことなく蓋部材４をハウジング２から取り外すことができる。
【００１８】
また、本実施形態では光学部品として反射鏡３を用い、経年劣化しやすい樹脂製の光学部品（拡散レンズやロッドレンズ等）は用いないため、光学部品の交換が不要となる。
【００１９】
以上、本発明の実施形態に係る照明装置について添付の図面を参照して説明したが、本発明はかかる実施形態に限定されず、本発明の範囲を逸脱することなく種々の変形、修正が可能である。
【００２０】
例えば、上記実施形態においてはレンズを使用せず、断面凹状の反射面３０を有する反射鏡３を用いたが、反射鏡３０に代えて平面状の反射面を有する反射鏡を用い、当該反射鏡と光照射口Ｈ２の間に集光レンズ等の光学部品を配置させてもよい。この場合にも、集光レンズ等の光学部品を取り外すことなく光源ユニット５へのアクセスが可能となる。
【符号の説明】
【００２１】
１  照明装置
２  ハウジング
２Ａ，２Ｂ  側面
２Ｃ  表面
３  反射鏡
４  蓋部材
５  光源ユニット（ＬＥＤユニット）
７  透明封止板
Ｈ１  保守用開口部
Ｈ２  光照射口
【図１】
2020107475.tif 000003
【図２】
2020107475.tif 000004
【図３】
2020107475.tif 000005